Podtech/llm-jp-corpus-v4-ja_patent huggingface dataset:
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
遊技者により遊技が行われる遊技領域と、
該遊技領域が遊技者側から視認できるように該遊技領域の前面を閉鎖する透明な遊技窓と、
該遊技窓の外周に略沿って略環状に配置され、遊技媒体の投入により変化する遊技状態に応じて夫々発光可能な環状発光手段と、
該環状発光手段の前側を被覆すると共に透光性を有し前記遊技窓の外周を装飾する装飾体と、
該装飾体の後側に配置され、前記環状発光手段を周方向へ複数の周発光部に分割するように前記遊技窓の外周から外側へ略放射状に延び、遊技状態に応じて発光可能な複数の放射状発光手段と、を具備し、
前記環状発光手段と前記放射状発光手段とは、互いに異なる発光色に制御可能とされ、
前記環状発光手段の複数の周発光部は、それぞれ別の系統に分けられており、前記複数の周発光部ごとに発光制御可能であり、
前記複数の放射状発光手段は、それぞれ別の系統に分けられており、前記複数の放射状発光手段ごとに発光制御可能とされ、
前記放射状発光手段の発光制御は、前記周発光部の発光に応じてなされ得るものであることを特徴とする遊技機。
【請求項２】
音の出力にかかる制御を行う音出力制御手段をさらに備えることを特徴とする請求項１記載の遊技機。
【請求項３】
遊技結果に応じて遊技者に遊技価値を付与可能な遊技価値付与手段をさらに備えることを特徴とする請求項１又は請求項２に記載の遊技機。
【手続補正２】
【補正対象書類名】明細書
【補正対象項目名】０００７
【補正方法】変更
【補正の内容】
【０００７】
手段１：遊技機において、
「遊技者により遊技が行われる遊技領域と、
該遊技領域が遊技者側から視認できるように該遊技領域の前面を閉鎖する透明な遊技窓と、
該遊技窓の外周に略沿って略環状に配置され、遊技媒体の投入により変化する遊技状態に応じて夫々発光可能な環状発光手段と、
該環状発光手段の前側を被覆すると共に透光性を有し前記遊技窓の外周を装飾する装飾体と、
該装飾体の後側に配置され、前記環状発光手段を周方向へ複数の周発光部に分割するように前記遊技窓の外周から外側へ略放射状に延び、遊技状態に応じて発光可能な複数の放射状発光手段と、を具備し、
前記環状発光手段と前記放射状発光手段とは、互いに異なる発光色に制御可能とされ、
前記環状発光手段の複数の周発光部は、それぞれ別の系統に分けられており、前記複数の周発光部ごとに発光制御可能であり、
前記複数の放射状発光手段は、それぞれ別の系統に分けられており、前記複数の放射状発光手段ごとに発光制御可能とされ、
前記放射状発光手段の発光制御は、前記周発光部の発光に応じてなされ得るものである」ことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
所定の図柄始動条件が成立することに基づいて取得される図柄変動情報を所定の保留上限数分記憶可能な先入れ先出し式の保留記憶手段と、
所定の変動開始条件が成立した場合に、前記保留記憶手段の待ち行列の先頭の前記図柄変動情報に基づいて図柄を変動表示する図柄表示手段と、
前記図柄表示手段による図柄変動結果が特定態様となった場合に利益状態を発生させる利益状態発生手段と、
所定の遊技モード切替条件が成立することに基づいて遊技モードを第１遊技モードから第２遊技モードに切り替え可能な遊技モード切替手段と、
前記図柄表示手段による図柄の変動表示に関する予告演出を行う予告演出制御手段と
を備えた遊技機において、
前記予告演出制御手段により複数種類の予告演出態様のうちの特定予告演出態様が出現した場合の予告内容を、前記第１遊技モード中と前記第２遊技モード中とで異ならせた
ことを特徴とする遊技機。
【請求項２】
前記図柄変動情報に基づく図柄変動の開始時よりも前の所定のタイミングで、その図柄変動情報に基づいて図柄変動内容を判定する先読み判定手段を備え、
前記予告演出制御手段は、前記先読み判定手段による判定結果に基づいて前記複数種類の予告演出態様の何れかを選択するように構成した
ことを特徴とする請求項１に記載の遊技機。
【請求項３】
前記特定予告演出態様が出現した場合の予告内容を、前記図柄変動結果が前記特定態様となる信頼度とし、
前記第１遊技モード中と前記第２遊技モード中とで前記信頼度を異ならせた
ことを特徴とする請求項１又は２に記載の遊技機。
【請求項４】
前記特定予告演出態様が出現した場合の予告内容を、前記図柄変動表示で所定事項が出現する信頼度とし、
前記第１遊技モード中と前記第２遊技モード中とで前記所定事項を異ならせた
ことを特徴とする請求項１〜３の何れかに記載の遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、演出性を損なうことのない遊技機を提供することを目的とする。
【手続補正４】
【補正対象書類名】明細書
【補正対象項目名】０００７
【補正方法】変更
【補正の内容】
【０００７】
本発明は、所定の図柄始動条件が成立することに基づいて取得される図柄変動情報を所定の保留上限数分記憶可能な先入れ先出し式の保留記憶手段６３と、所定の変動開始条件が成立した場合に、前記保留記憶手段６３の待ち行列の先頭の前記図柄変動情報に基づいて図柄を変動表示する図柄表示手段３２と、前記図柄表示手段３２による図柄変動結果が特定態様となった場合に利益状態を発生させる利益状態発生手段６６と、所定の遊技モード切替条件が成立することに基づいて遊技モードを第１遊技モードから第２遊技モードに切り替え可能な遊技モード切替手段６４ｄと、前記図柄表示手段３２による図柄の変動表示に関する予告演出を行う予告演出制御手段７５とを備えた遊技機において、前記予告演出制御手段７５により複数種類の予告演出態様のうちの特定予告演出態様が出現した場合の予告内容を、前記第１遊技モード中と前記第２遊技モード中とで異ならせたものである。
また、前記図柄変動情報に基づく図柄変動の開始時よりも前の所定のタイミングで、その図柄変動情報に基づいて図柄変動内容を判定する先読み判定手段６８を備え、前記予告演出制御手段７５は、前記先読み判定手段６８による判定結果に基づいて前記複数種類の予告演出態様の何れかを選択するように構成してもよい。
また、前記特定予告演出態様が出現した場合の予告内容を、前記図柄変動結果が前記特定態様となる信頼度とし、前記第１遊技モード中と前記第２遊技モード中とで前記信頼度を異ならせてもよい。
また、前記特定予告演出態様が出現した場合の予告内容を、前記図柄変動表示で所定事項が出現する信頼度とし、前記第１遊技モード中と前記第２遊技モード中とで前記所定事項を異ならせてもよい。
また、所定の図柄始動条件が成立することに基づいて取得される図柄変動情報を所定の保留上限数分記憶可能な先入れ先出し式の保留記憶手段６３と、所定の変動開始条件が成立した場合に、前記保留記憶手段６３の待ち行列の先頭の前記図柄変動情報とその時点の遊技モードに対応する判定情報とに応じて図柄変動内容を決定する図柄変動内容決定手段６４と、前記変動開始条件が成立した場合に、前記図柄変動内容決定手段６４によって決定された図柄変動内容に基づいて図柄を変動表示する図柄表示手段３２と、前記図柄表示手段３２による図柄変動結果に応じて利益状態を発生させる利益状態発生手段６６と、所定の遊技モード切替条件が成立することに基づいて前記遊技モードを切り替える遊技モード切替手段６４ｄと、前記図柄変動内容決定手段６４による前記図柄変動内容の決定よりも前の所定のタイミングで、前記図柄変動情報と前記遊技モードに対応する前記判定情報とに応じて前記図柄変動内容を判定する先読み判定手段６８と、前記先読み判定手段６８による判定結果と前記各遊技モードに対応する予告演出選択テーブルとに基づいて予告演出態様を選択する予告演出態様選択手段７５ｄと、前記予告演出態様選択手段７５ｄによって選択された予告演出態様に基づいて予告演出を行う予告演出手段３５とを備えた遊技機において、前記先読み判定手段６８による判定の対象となった前記図柄変動情報が前記遊技モードの切り替え後に前記図柄表示手段３２による図柄変動に供される場合に、少なくともその図柄変動情報が前記保留記憶手段６３に記憶されている期間を遊技モード切替期間とし、前記予告演出態様選択手段７５ｄは、前記遊技モード切替期間中、切り替え前後の前記遊技モードの両方に整合する前記予告演出態様の何れかを選択するように構成してもよい。
【手続補正５】
【補正対象書類名】明細書
【補正対象項目名】００１２
【補正方法】変更
【補正の内容】
【００１２】
本発明によれば、演出性を損なうことがない。
【手続補正書】
【提出日】平成27年4月17日(2015.4.17)
【手続補正１】
【補正対象書類名】特許請求の範囲
【補正対象項目名】請求項１
【補正方法】変更
【補正の内容】
【請求項１】
役の当選確率を定めた役抽選テーブルと、
前記役抽選テーブルを用いて役の抽選を行う役抽選手段と、
複数種類の図柄を表示した複数のリールと、
前記役抽選手段による役の抽選結果に基づいて、当選した役に対応する図柄の組合せが有効ラインに停止可能に前記リールを停止制御するリール制御手段と
を備えるスロットマシンにおいて、
前記役抽選手段で抽選される役として、遊技者にとって有利となる特別遊技に移行させるための役であって当選後にはその図柄の組合せが有効ラインに停止するまでその当選が次遊技に持ち越される特別役と、当選した遊技でのみその図柄の組合せが有効ラインに停止可能となる特定役とを有し、
前記役抽選テーブルは、
前記特別役に当選するまでの遊技で用いられ、前記特別役及び前記特定役の重複当選を有する第１役抽選テーブルと、
前記特別役に当選した後、前記特別役に対応する図柄の組合せが有効ラインに停止するまでの遊技で用いられ、前記特定役の当選を有する第２役抽選テーブルと
を備え、
前記リール制御手段は、前記特別役及び前記特定役に重複当選した遊技、並びに前記特別役の当選を持ち越している状態で前記特定役に当選した遊技では、前記ストップスイッチの操作態様及び停止させる前記リールに応じて、前記特別役に対応する図柄の組合せを構成する図柄かつ前記特定役に対応する図柄の組合せを構成する図柄である共通図柄を有効ラインに停止させる場合と、前記共通図柄と異なる他の図柄であって前記特定役に対応する図柄の組合せを構成する図柄を有効ラインに停止させる場合とを有するように前記リールを停止制御する
ことを特徴とするスロットマシン。
【手続補正２】
【補正対象書類名】明細書
【補正対象項目名】０００９
【補正方法】変更
【補正の内容】
【０００９】
本発明は、以下の解決手段によって上述の課題を解決する。なお、かっこ書きで、対応する実施形態の構成を示す。
本発明は、
役の当選確率を定めた役抽選テーブルと、
前記役抽選テーブルを用いて役の抽選を行う役抽選手段と、
複数種類の図柄を表示した複数のリールと、
前記役抽選手段による役の抽選結果に基づいて、当選した役に対応する図柄の組合せが有効ラインに停止可能に前記リールを停止制御するリール制御手段と
を備えるスロットマシンにおいて、
前記役抽選手段で抽選される役として、遊技者にとって有利となる特別遊技（２ＢＢ遊技）に移行させるための役であって当選後にはその図柄の組合せが有効ラインに停止するまでその当選が次遊技に持ち越される特別役（２ＢＢ）と、当選した遊技でのみその図柄の組合せが有効ラインに停止可能となる特定役（小役Ａ１〜Ａ２６）とを有し、
前記役抽選テーブルは、
前記特別役に当選するまでの遊技で用いられ、前記特別役及び前記特定役の重複当選（重複当選Ｘ１〜Ｘ８）を有する第１役抽選テーブル（役抽選テーブル６２Ａ）と、
前記特別役に当選した後、前記特別役に対応する図柄の組合せが有効ラインに停止するまでの遊技で用いられ、前記特定役の当選（重複当選Ｘ１１〜Ｘ１８）を有する第２役抽選テーブル（役抽選テーブル６２Ｂ）と
を備え、
前記リール制御手段は、前記特別役及び前記特定役に重複当選した遊技、並びに前記特別役の当選を持ち越している状態で前記特定役に当選した遊技では、前記ストップスイッチの操作態様及び停止させる前記リールに応じて、前記特別役に対応する図柄の組合せを構成する図柄かつ前記特定役に対応する図柄の組合せを構成する図柄である共通図柄（「７」）を有効ラインに停止させる場合と、前記共通図柄と異なる他の図柄であって前記特定役に対応する図柄の組合せを構成する図柄（「○」又は「●」）を有効ラインに停止させる場合とを有するように前記リールを停止制御する
ことを特徴とする。
【手続補正３】
【補正対象書類名】明細書
【補正対象項目名】００１０
【補正方法】変更
【補正の内容】
【００１０】
本発明によれば、当選した特別役をストックすることなく、特別役の入賞頻度を変動させることができる。これにより、出玉の瞬発力を確保可能とし、出玉率に波を持たせることができる。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
外科手術用ポート構造物であって、
前記外科手術用ポート構造物は、
頂表面と、底表面と、前記頂表面から前記底表面まで延びる外側壁とを備えるポート構造物本体と、
前記ポート構造物本体を介して前記頂表面から前記底表面まで延びるチャネルであって、前記チャネルは、内壁を含む、チャネルと、
前記外側壁から前記チャネルの内壁部分まで延びる導電性部分と、
前記導電性部分よりも導電性の低いポート構造物本体部分と
を備え、
前記導電性部分は、前記チャネル内にあり前記チャネルの前記内壁と接触する器具またはカニューレから前記ポート構造物本体を介して前記ポート本体構造物の前記外側壁の外表面までの所定の接地経路を形成する、外科手術用ポート構造物。
【請求項２】
前記チャネルは、前記ポート構造物本体のおよそ垂直中線において前記底表面と交差する、請求項１に記載の外科手術用ポート構造物。
【請求項３】
前記チャネル内に配置されたシールをさらに備え、
前記シールは、前記ポート構造物本体と一体的に成形されている、請求項１に記載の外科手術用ポート構造物。
【請求項４】
前記シールは、前記シールの中心開口部を覆う膜を備え、
前記膜は、気体が前記チャネルを通過することを防止する、請求項３に記載の外科手術用ポート構造物。
【請求項５】
前記導電性経路は、前記シールの少なくとも一部分を備える、請求項３に記載の外科手術用ポート構造物。
【請求項６】
前記ポート構造物本体は、成形された１つの片である、請求項１に記載の外科手術用ポート構造物。
【請求項７】
前記導電性経路は、前記外側壁から前記チャネルの細くなっている領域まで延びる、請求項１に記載の外科手術用ポート構造物。
【請求項８】
請求項１に記載の外科手術用ポート構造物と、
カニューレと、
シャフトと、前記シャフトの近位端に位置する力伝播機構と、前記シャフトの遠位端に位置するエンドエフェクタとを備える外科手術用器具と
を備える、外科手術システム。
【請求項９】
前記外科手術用ポート構造物本体は、
前記導電性部分よりも導電性の低い第１のポート構造物本体部分であって、前記外科手術用ポート構造物本体の前記頂表面を形成する第１のポート構造物本体部分と、
前記導電性部分よりも導電性の低い第２のポート構造物本体部分であって、前記外科手術用ポート構造物本体の前記底表面を形成する第２のポート構造物本体部分と
をさらに備え、
前記導電性部分は、前記第１のポート構造物本体部分と前記第２のポート構造物本体部分との間に位置する、請求項８に記載の外科手術システム。
【請求項１０】
前記チャネル内に配置されたシールをさらに備え、
前記シールは、前記ポート構造物本体と一体的に成形されている、請求項８に記載の外科手術システム。
【請求項１１】
前記シールは、前記シールの中心開口部を覆う膜を備え、
前記膜は、気体が前記チャネルを通過することを防止する、請求項１０に記載の外科手術システム。
【請求項１２】
前記導電性経路は、前記シールの少なくとも一部分を備える、請求項１０に記載の外科手術システム。
【誤訳訂正書】
【提出日】平成27年9月9日(2015.9.9)
【誤訳訂正１】
【訂正対象書類名】明細書
【訂正対象項目名】００１２
【訂正方法】変更
【訂正の内容】
【００１２】
本発明の実施形態の主な利点は、安全なハードウェア(secure hardware)、安全保障モジュール、又はそれに関連するいずれかのものに対する無許可な改竄が、パネルおよび計測出力を介して伝送される情報の属性の動作における永続的な変更を、引き起こす(trigger)ように定められることができる(can be arranged)、ということである。
【誤訳訂正２】
【訂正対象書類名】明細書
【訂正対象項目名】００９９
【訂正方法】変更
【訂正の内容】
【００９９】
本発明の実施形態の主要な利点は、例えば、電力通知モジュール５００又はそのいずれかのコンポーネント、若しくは、それに関連するいずれかのものなどの、安全なハードウェアのいずれかのエレメントを無許可に不正に変更することが、パネル及び／又はそれにより伝送される情報属性、の自動安全動作を作動させ得ることである。例えば、パネルの電力生成特性が部分的に又は完全に無効化され得る、又は、警告を発するために、信号がバックエンドサーバに送信され得る。
以下に、本願発明の当初の［特許請求の範囲］に記載された発明を付記する。
［１］
太陽放射を受光し、前記太陽放射を電気出力に変換するための太陽光電力変換装置であって、
前記装置は、その中に、
ｉ）計測データを与えるために前記電気出力を計測するための電気出力計測装置と、
ｉｉ）信頼性のある計測データを作り出すために安全保障情報を前記計測データに関連させるための安全保障モジュールを与える情報処理装置と、
ｉｉｉ）前記太陽光電力変換装置から前記信頼性のある計測データを伝送するための計測出力と
を組み込んでいる、
装置。
［２］
前記計測出力は、ネットワーク接続等の通信リンクへの接続に適合する、［１］に記載の装置。
［３］
前記計測出力は、通信リンクへの接続のための無線インターフェースが提供される、［２］に記載の装置。
［４］
前記太陽光電力変換装置、前記電力出力計測装置及び前記情報処理装置は、共有基板上に又は前記共有基板内に実装される、先行する項のうちのいずれか１項に記載の装置。
［５］
前記装置は太陽光パネルを備える、先行する項のうちのいずれか１項に記載の装置。
［６］
前記太陽光電力変換装置、前記電気出力計測装置及び前記情報処理装置は、共に１つの集積回路を与える、［４］又は［５］のうちのいずれか１項に記載の装置。
［７］
太陽光セルのアレイを備え、各セルが、その中に、計測データを与えるために前記電気出力を計測するための電気出力計測装置と、信頼性のある計測データを作り出すために安全保障情報を前記計測データに関連させる安全保障モジュールを与える情報処理装置とを組み込んでいる、先行する項のうちのいずれか１項に記載の装置。
［８］
前記出力計測装置、前記情報処理装置及び前記計測出力は、前記太陽光パネルと同じ耐候性封止容器内に密封されている、［５］乃至［７］のうちのいずれか１項に記載の装置。
［９］
前記出力計測装置、前記情報処理装置及び前記計測出力は、永続的な電気的接続により接続されている、先行する項のうちのいずれか１項に記載の装置。
［１０］
前記出力計測装置、前記情報処理装置及び前記計測出力は、単一のプリント回路又はハイブリッド回路により接続されている、先行する項のうちのいずれか１項に記載の装置。
［１１］
前記出力計測装置、前記情報処理装置及び前記計測出力は、半導体製造及び／又は組立技術により共有基板上に又は前記共有基板内に構成された導体により接続されている、先行する項のうちのいずれか１項に記載の装置。
［１２］
前記安全保障モジュールは、前記計測データに関して信頼性のあるデジタル証明書を作成するように配置された信頼性のあるモジュールを備える、先行する項のうちのいずれか１項に記載の装置。
［１３］
前記安全保障モジュールは集積回路カードを備える、先行する項のうちのいずれか１項に記載の装置。
［１４］
少なくとも１つの安全保障モジュールから信頼性のある計測データを受信し、データを前記計測出力へ伝送するように接続された管理モジュールを内部にさらに組み込んでいる、先行する項のうちのいずれか１項に記載の装置。
［１５］
受信器をさらに備えており、前記又は各々の情報処理装置及び／又は管理モジュールは、前記装置が前記通信リンクを介して又は個別に遠隔で管理されることができるように、入ってくる通信に応答するように配置されている、［２］若しくは［１４］のうちのいずれか１項に記載の装置。
［１６］
前記管理モジュールは、携帯電話ネットワーク上での通信に利用される加入者識別モジュールを備える、［１４］又は［１５］のうちのいずれか１項に記載の装置。
［１７］
前記管理モジュールは、１を超える安全保障モジュールから信頼性のある計測データを受信するように接続されており、そのようなデータを、前記計測出力へ伝送する前に照合するように配置されている、［１４］乃至［１６］のうちのいずれか１項に記載の装置。
［１８］
前記情報処理装置及び／又は前記管理モジュールは、安全なネットワーク上のサーバにリンクされたシンクライアントとして構成されている、先行する項のうちのいずれか１項に記載の装置。
［１９］
場所検知装置を更に備える、先行する項のうちのいずれか１項に記載の装置。
［２０］
前記安全保障モジュールと前記管理モジュールのうちの１つ又は両方を用いて計測された信頼性のあるデータとしてそれ以降に伝送するために測定可能な外部変数に関してデータを生成するための変換器を、前記装置に接続している、先行する項のうちのいずれか１項に記載の装置。
［２１］
前記計測データに関連する前記安全保障情報は、前記デバイスに固有のデジタル識別番号を備える、先行する項のうちのいずれか１項に記載の装置。
［２２］
電力を電気出力に変換するための電力変換装置であって、前記装置は、複数の集積回路コンポーネントを載せている基板を備え、前記複数のコンポーネントは、
ｉ）計測データを与えるために前記電気出力を計測するための電気出力計測装置と、
ｉｉ）信頼性のある計測データを作り出すために安全保障情報を前記計測データに関連させるための安全保障モジュールを与える情報処理装置と、
ｉｉｉ）前記電力変換装置から前記信頼性のある前記計測データを伝送するための計測出力と
を備える、
装置。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
サンプル中の胎児核酸の量を決定するための方法であって、該方法は：
（ａ）妊婦からのサンプル中に存在する核酸を、メチル化ヌクレオチドに特異的に結合する作用物質と接触させ、それにより結合した核酸を産生する工程であって、該サンプルは、差次的にメチル化された胎児核酸および母体核酸を含む、工程；
（ｂ）（ａ）の該結合した核酸を単離して、それにより該胎児核酸を濃縮する工程；および
（ｃ）配列番号１〜５９から選択される複数の遺伝子座における（ｂ）の胎児核酸の量を分析することによって、胎児核酸の量を決定する工程
を包含する、方法。
【請求項２】
メチル化ヌクレオチドに結合する前記作用物質が、メチル−ＣｐＧ結合タンパク質（ＭＢＤ）またはそのフラグメントである、請求項１に記載の方法。
【請求項３】
前記ＭＢＤまたはそのフラグメントは、抗体のＦｃフラグメントに融合されたものである、請求項２に記載の方法。
【請求項４】
前記結合した核酸は、塩濃度を徐々に増加させた溶液と接触させることにより単離される、請求項２に記載の方法。
【請求項５】
メチル化ヌクレオチドに結合する前記作用物質は、抗体である、請求項１に記載の方法。
【請求項６】
前記サンプル中に存在する核酸の総量を決定する工程を包含する、請求項１〜６のいずれか１項に記載の方法。
【請求項７】
前記サンプル中の胎児核酸の量を決定する工程が、（ｃ）の胎児核酸の量と、核酸の総量とを比較する工程を含む、請求項６に記載の方法。
【請求項８】
（ｂ）の後、既知濃度の１つ以上の競合物質を導入する工程を含む、請求項１〜７のいずれか１項に記載の方法。
【請求項９】
前記サンプル中の胎児核酸の絶対量を決定する工程を包含する、請求項８に記載の方法。
【請求項１０】
前記複数の遺伝子座が、配列番号１〜３３および配列番号３６〜５９の遺伝子座から選択される、請求項１〜９のいずれか１項に記載の方法。
【請求項１１】
前記複数の遺伝子座が、配列番号４２の遺伝子座を含む、請求項１〜１０のいずれか１項に記載の方法。
【請求項１２】
前記複数の遺伝子座が、配列番号５２の遺伝子座を含む、請求項１〜１０のいずれか１項に記載の方法。
【請求項１３】
前記複数の遺伝子座が、配列番号３３の遺伝子座を含む、請求項１〜１０のいずれか１項に記載の方法。
【請求項１４】
胎児核酸の前記量が、胎児の形質の指標となる、請求項１〜１３のいずれか１項に記載の方法。
【請求項１５】
前記胎児の形質が、胎児の異数性である、請求項１４に記載の方法。
【請求項１６】
前記方法が、ある特定の臨床的感度または臨床的特異性の必要条件を満たす濃度の胎児核酸を必要とする、請求項１４または１５に記載の方法。
【請求項１７】
前記胎児核酸の量を決定する工程が、質量分析法、ＲＴ−ＰＣＲ、デジタルＰＣＲ、アレイに基づく方法、配列決定法、ナノポアに基づく方法、核酸に結合したビーズに基づくカウント方法および競合物質に基づく方法から選択される１以上のプロセスの使用を含む、請求項１〜１６のいずれか１項に記載の方法。
【請求項１８】
前記胎児核酸の量を決定する工程が、質量分析法の使用を含む、請求項１７に記載の方法。
【請求項１９】
前記胎児核酸の量を決定する工程が、配列決定法の使用を含む、請求項１７に記載の方法。
【請求項２０】
前記配列決定法は、合成により配列決定することを含む、請求項１９に記載の方法。
【請求項２１】
妊婦からのサンプル中のＹ染色体核酸の有無を判定する工程を包含する、請求項１〜２０のいずれか１項に記載の方法。
【請求項２２】
妊婦からのサンプル中に存在するＹ染色体核酸の量が、男の胎児に対して決定される、請求項２１に記載の方法。
【請求項２３】
前記胎児核酸の量が、前記Ｙ染色体核酸の量と比較される、請求項２２に記載の方法。
【請求項２４】
３以上の遺伝子座における胎児核酸の量が決定される、請求項１〜２３のいずれか１項に記載の方法。
【請求項２５】
１０以上の遺伝子座における胎児核酸の量が決定される、請求項２４に記載の方法。
【請求項２６】
前記胎児核酸の量が、前記消化された母体核酸の平均長より大きいアンプリコンを生成する増幅反応により、該胎児核酸がさらに濃縮されることによって決定される、請求項１〜２５のいずれか１項に記載の方法。
【請求項２７】
標的染色体由来の胎児核酸の量が決定され、そして参照染色体由来の胎児核酸の量が決定される、請求項１〜２６のいずれか１項に記載の方法。
【請求項２８】
前記標的染色体由来の胎児核酸の量と前記参照染色体由来の胎児核酸の量とを比較することにより、胎児異数性の有無を決定する工程をさらに包含する、請求項２７に記載の方法。
【請求項２９】
サンプル中の胎児核酸の量を決定するための方法であって、該方法は：
（ａ）妊婦からのサンプル中に存在する核酸を、メチル化ヌクレオチドに結合する作用物質と接触させ、それにより結合した核酸を産生する工程であって、該サンプルは、差次的にメチル化された胎児核酸および母体核酸を含む、工程；
（ｂ）（ａ）の該結合した核酸を単離して、それにより該胎児核酸を濃縮する工程；および
（ｃ）配列番号３３を含む複数の遺伝子座における（ｂ）の胎児核酸の量を分析することによって、胎児核酸の量を決定する工程
を包含する、方法。
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
細胞表面上に位置するマトリプターゼステムに特異的に結合できる親和性試薬であって、
該マトリプターゼステムが、配列番号10〜13のいずれか1つにより定義される配列、又は、配列番号10〜13のいずれか1つに少なくとも80%の同一性を有する配列を有し、かつ、
該親和性試薬が、治療的部分を含むか又はこれに抱合されている、前記親和性試薬。
【請求項２】
前記治療的部分が、細胞傷害性部分又は放射性部分である、請求項1記載の親和性試薬。
【請求項３】
前記マトリプターゼステムが、配列番号10〜13のいずれか1つにより定義されるものである、又は、配列番号10〜13のいずれか1つに90%又は95の同一性を有するポリペプチドである、請求項1記載の親和性試薬。
【請求項４】
配列番号10〜13のいずれか1つの配列を有するポリペプチド、又は、配列番号10〜13のいずれか1つに90%又は95の同一性を有するポリペプチドに特異的に結合できる親和性試薬であって、
該ポリペプチドが細胞表面に位置し、
該親和性試薬が、配列番号1には特異的に結合せず、かつ、
該親和性試薬が、治療的部分を含むか又はこれに抱合されている、前記親和性試薬。
【請求項５】
前記治療的部分が、細胞傷害性部分又は放射性部分である、請求項4記載の親和性試薬。
【請求項６】
抗体、その抗体断片又はその抗体誘導体である、請求項1〜5のいずれか1項記載の親和性試薬。
【請求項７】
単離されたモノクローナル抗体、又はその抗原結合部分、又は抗体模倣体である、請求項6記載の親和性試薬。
【請求項８】
前記単離されたモノクローナル抗体が、IgG1、IgG2、IgG3若しくはIgG4アイソタイプの全長抗体、ヒト化抗体、単鎖抗体、免疫抱合体、脱フコシル化抗体及び二重特異性抗体からなる群から選択される、請求項7記載の親和性試薬。
【請求項９】
ユニボディ、ドメイン抗体及びナノボディからなる群から選択される抗体断片である、請求項6記載の親和性試薬。
【請求項１０】
アフィボディ、DARPin、アンチカリン、アビマー、バーサボディ及びデュオカリンからなる群から選択される抗体模倣体である、請求項7記載の親和性試薬。
【請求項１１】
ヒト補体の存在下又はヒト免疫エフェクター細胞の存在下、マトリプターゼステム抗原を発現している細胞に対し細胞毒性を有するモノクローナル抗体である、請求項6記載の親和性試薬。
【請求項１２】
疾患の治療若しくは予防に使用するための、請求項1〜11のいずれか1項記載の親和性試薬。
【請求項１３】
前記疾患が癌である、請求項12記載の親和性試薬。
【請求項１４】
前記癌が、乳癌、結腸直腸癌、食道癌、胃癌、前立腺癌及び子宮癌からなる群から選択される、請求項13記載の親和性試薬。
【請求項１５】
治療上有効量の請求項1〜11のいずれか1項記載の1以上の親和性試薬を含む、医薬組成物。
【請求項１６】
疾患の治療若しくは予防に使用するための、請求項15記載の医薬組成物。
【請求項１７】
前記疾患が癌である、請求項16記載の医薬組成物。
【請求項１８】
前記癌が、乳癌、結腸直腸癌、食道癌、胃癌、前立腺癌及び子宮癌からなる群から選択される、請求項17記載の医薬組成物。
【請求項１９】
請求項1〜14のいずれか１項記載の1以上の親和性試薬、又は請求項15〜18のいずれか１項記載の医薬組成物を含むキットであって、前記親和性試薬が治療及び/又は診断の使用に適している、前記キット。
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
作業ロールで被圧延材を圧延する圧延機を制御する圧延制御装置において、前記圧延に係る観測値である板厚が目標値となるよう作業ロールの速度を操作するロール速度操作端に指令値を供給し、前記圧延に係る観測値である張力が目標値となるよう前記作業ロール間の間隔であるロールギャップを操作するロールギャップ操作端に指令値を供給する制御部を有し、圧延速度に依存した前記ロールギャップの変化量に対する前記張力の変化量である影響係数が低速圧延に相当する所定値よりも低下した場合に、前記影響係数の低下による前記張力に対する制御量の不足を補うように、前記板厚が目標値となるよう前記ロールギャップ操作端に指令値を供給し、前記張力が目標値となるよう前記ロール速度操作端に指令値を供給するように切り替えることを特徴とする圧延制御装置。
【請求項２】
作業ロールで被圧延材を圧延する圧延機を制御する圧延制御装置において、
前記圧延に係る観測値である板厚実績値と板厚目標値の偏差に基づき第１の板厚制御ゲインを用いて第１のロール速度指令値をロール速度操作端に供給する第１の板厚制御部と、
前記板厚実績値と前記板厚目標値の偏差に基づき第２の板厚制御ゲインを用いて第１のロールギャップ指令値をロールギャップ操作端に供給する第２の板厚制御部と、
前記圧延に係る観測値である張力実績値と張力目標値の偏差に基づき第１の張力制御ゲインを用いて第２のロール速度指令値を前記ロール速度操作端に供給する第１の張力制御部と、
前記張力実績値と前記張力目標値の偏差に基づき第２の張力制御ゲインを用いて第２のロールギャップ指令値を前記ロールギャップ操作端に供給する第２の張力制御部とを有し、
圧延速度に依存した前記ロールギャップの変化量に対する前記張力の変化量である影響係数が低速圧延に相当する所定値よりも低下した場合に、前記影響係数の低下による前記張力に対する制御量の不足を補うように前記ロールギャップ操作端に対する指令値の少なくとも一部に相当する指令値分を前記ロール速度操作端への指令として振り分けるように、前記第１の板厚制御ゲインと前記第２の張力制御ゲインを小さくし、前記第２の板厚制御ゲインと前記第１の張力制御ゲインを大きくする、ことを特徴とする圧延制御装置。
【請求項３】
請求項２において、通常は前記第１の板厚制御ゲインと前記第２の張力制御ゲインを1.0とし、前記第２の板厚制御ゲインと前記第１の張力制御ゲインを0としておき、
前記ロールギャップの変化量に対する前記張力の変化量である影響係数が低速圧延時に相当する所定値よりも低下した場合に、前記第１の板厚制御ゲインと前記第２の張力制御ゲインを1.0から0に変化させ、前記第２の板厚制御ゲインと前記第１の張力制御ゲインを0から1.0に変化させる
ことを特徴とする圧延制御装置。
【請求項４】
請求項２において、
第１の板厚制御部では、ロール速度の変化量に対する板厚の変化量である影響係数を用いて第１のロール速度指令値を生成し、
第２の板厚制御部では、ロールギャップの変化量に対する板厚の変化量である影響係数を用いて第１のロールギャップ指令値を生成し、
第１の張力制御部では、ロール速度の変化量に対する張力の変化量である影響係数を用いて第２のロール速度指令値を生成し、
第２の張力制御部では、ロールギャップの変化量に対する張力の変化量である影響係数を用いて第２のロールギャップ指令値を生成する
ことを特徴とする圧延制御装置。
【請求項５】
請求項２において、
正弦波状に操作されたロールギャップ及びロール速度により求めた板厚変動および張力変動の振幅に基づいて前記影響係数を求めることを特徴とする圧延制御装置。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
ワークを研磨するため研磨布と、研磨剤を供給するための研磨剤供給機構と、ワークを保持するための研磨ヘッドを具備し、該研磨ヘッドは前記ワークの裏面をバッキングパッドによって保持し、前記ワークのエッジ部を環状のテンプレートによって保持し、前記研磨布に前記ワークと前記テンプレートを押圧することで、前記ワークを前記研磨布に摺接させ、前記ワークを研磨するワークの研磨装置であって、
前記テンプレートは、フィラーが添加された樹脂又は織布が含まれた樹脂から成り、前記研磨布を押圧する面に前記フィラー又は前記織布が露出していることにより、該押圧する面に微細な凹部を有するものであり、前記テンプレートの前記研磨布を押圧する面における前記露出しているフィラーの表面占有率、または織布の表面占有率が５％以上８５％以下であることを特徴とするワークの研磨装置。
【請求項２】
前記凹部の深さが０．０５ｍｍ以上であることを特徴とする請求項１に記載のワークの研磨装置。
【請求項３】
前記凹部の開口幅が５ｍｍ以下で、凹部間のピッチが１０ｍｍ以下であることを特徴とする請求項１又は請求項２に記載のワークの研磨装置。
【請求項４】
前記凹部と前記研磨布との接触角が９０°以下であることを特徴とする請求項１乃至請求項３のいずれか１項に記載のワークの研磨装置。
【手続補正書】
【提出日】平成27年3月30日(2015.3.30)
【手続補正１】
【補正対象書類名】特許請求の範囲
【補正対象項目名】請求項１
【補正方法】変更
【補正の内容】
【請求項１】
複数種類の図柄を表示した複数のリールと、
各前記リールに対応して設けられたストップスイッチと、
遊技の進行を制御するメイン制御手段と、
演出を制御するサブ制御手段と
を備え、
前記メイン制御手段は、特別役及び特定小役を含む役の抽選を行う役抽選手段を備え、
前記メイン制御手段は、前記特別役に当選していない非内部中遊技において前記役抽選手段で前記特別役に当選し、前記特別役に対応する図柄の組合せが停止したときは特別遊技に移行させ、前記特別役に対応する図柄の組合せが停止しなかったときは前記特別役の当選情報を持ち越している内部中遊技に移行させるように制御し、
前記サブ制御手段は、前記ストップスイッチの操作情報を報知する報知制御手段を備え、
前記役抽選手段は、前記非内部中遊技及び前記内部中遊技では、前記特定小役を含む複数の役に重複当選するように役の抽選を行い、
前記特別遊技では、前記特定小役を含むすべての小役に当選した状態となるように制御し、
前記非内部中遊技及び前記内部中遊技では、１遊技あたりの遊技媒体の投入数は、第１規定数に設定され、
前記特別遊技では、１遊技あたりの遊技媒体の投入数は、第２規定数に設定され、
前記特定小役の配当は、１遊技あたりの遊技媒体の投入数に応じて設定されており、
１遊技あたりの遊技媒体の投入数が第１規定数のときは、前記特定小役の配当は、第１規定数より多い数に設定され、
１遊技あたりの遊技媒体の投入数が第２規定数のときは、前記特定小役の配当は、第２規定数と同数以下に設定され、
前記サブ制御手段は、前記内部中遊技における演出状態を複数有し、
前記報知制御手段は、前記内部中遊技で所定の演出状態に制御されている場合において、前記役抽選手段で前記特定小役を含む所定の重複当選となったときは、前記特定小役に対応する図柄の組合せが停止可能となる前記ストップスイッチの操作情報を報知し、
前記ストップスイッチの操作に基づいて達成可能となる条件１及び条件２を有し、
前記メイン制御手段は、条件１を達成すると外部信号１を出力し、条件２を達成すると外部信号１と異なる外部信号２を出力する
ことを特徴とするスロットマシン。
【手続補正２】
【補正対象書類名】明細書
【補正対象項目名】０００１
【補正方法】変更
【補正の内容】
【０００１】
本発明は、ストップスイッチの操作情報を報知する演出状態（ＡＴ遊技）を有するスロットマシンにおいて、外部信号の出力に関するものである。
【手続補正３】
【補正対象書類名】明細書
【補正対象項目名】０００９
【補正方法】変更
【補正の内容】
【０００９】
したがって、本発明が解決しようとする課題は、ストップスイッチの操作情報を報知する演出状態（ＡＴ遊技）を有するスロットマシンにおいて、適切に外部信号を出力することである。
【手続補正４】
【補正対象書類名】明細書
【補正対象項目名】００１０
【補正方法】変更
【補正の内容】
【００１０】
本発明は、以下の解決手段によって、上述の課題を解決する。
請求項１の発明は、
複数種類の図柄を表示した複数のリール（３１）と、
各前記リールに対応して設けられたストップスイッチ（４２）と、
遊技の進行を制御するメイン制御手段（５０）と、
演出を制御するサブ制御手段（８０）と
を備え、
前記メイン制御手段は、特別役（ＭＢ）及び特定小役（ベル０１）を含む役の抽選を行う役抽選手段（６１）を備え、
前記メイン制御手段は、前記特別役に当選していない非内部中遊技において前記役抽選手段で前記特別役に当選し、前記特別役に対応する図柄の組合せが停止したときは特別遊技（ＭＢ遊技）に移行させ、前記特別役に対応する図柄の組合せが停止しなかったときは前記特別役の当選情報を持ち越している内部中遊技に移行させるように制御し、
前記サブ制御手段は、前記ストップスイッチの操作情報を報知する報知制御手段（８２）を備え、
前記役抽選手段は、前記非内部中遊技及び前記内部中遊技では、前記特定小役を含む複数の役に重複当選（第１ベル〜第３７ベル）するように役の抽選を行い、
前記特別遊技では、前記特定小役を含むすべての小役に当選した状態となるように制御し、
前記非内部中遊技及び前記内部中遊技では、１遊技あたりの遊技媒体の投入数は、第１規定数（３枚）に設定され、
前記特別遊技では、１遊技あたりの遊技媒体の投入数は、第２規定数（２枚）に設定され、
前記特定小役の配当は、１遊技あたりの遊技媒体の投入数に応じて設定されており、
１遊技あたりの遊技媒体の投入数が第１規定数のときは、前記特定小役の配当は、第１規定数より多い数（９枚）に設定され、
１遊技あたりの遊技媒体の投入数が第２規定数のときは、前記特定小役の配当は、第２規定数と同数以下（２枚）に設定され、
前記サブ制御手段は、前記内部中遊技における演出状態を複数有し（ＡＴ遊技及び非ＡＴ遊技）、
前記報知制御手段は、前記内部中遊技で所定の演出状態に制御されている場合において、前記役抽選手段で前記特定小役を含む所定の重複当選となったときは、前記特定小役に対応する図柄の組合せが停止可能となる前記ストップスイッチの操作情報を報知し、
前記ストップスイッチの操作に基づいて達成可能となる条件１（押し順正解カウンタ７１ａのカウント値がＮ１に到達したこと（条件Ｃ１））及び条件２（遊技回数カウンタ７１ｃのカウント値がＮ２に到達した後に押し順ベル当選時に押し順に正解したこと（条件Ｃ２））を有し、
前記メイン制御手段は、条件１を達成すると外部信号１（移行回数信号及びＡＴ信号）を出力し、条件２を達成すると外部信号１と異なる外部信号２（継続回数信号又は差枚数信号）を出力する
ことを特徴とする。
【手続補正５】
【補正対象書類名】明細書
【補正対象項目名】００１１
【補正方法】変更
【補正の内容】
【００１１】
本発明によれば、特別遊技での特定小役の配当を、遊技媒体の投入数と同数以下に設定することで、特別遊技での特定小役の入賞時における遊技媒体の払出し数を抑え、その分、内部中遊技での特定小役の配当を、遊技媒体の投入数より多く設定している。
また、内部中遊技で所定の演出状態に制御したときは、所定の重複当選となった遊技で、特定小役に対応する図柄の組合せが停止可能となるストップスイッチの操作情報を報知する。
これにより、内部中遊技において所定の演出状態に制御したときに、遊技者が遊技媒体を獲得しやすくすることができる。
さらに、ストップスイッチの操作に基づいて達成可能となる条件１や条件２を満たすと、それぞれ外部信号１及び外部信号２を出力する。
これにより、サブ制御手段で演出状態を制御するスロットマシンにおいて、メイン制御手段側で、ストップスイッチの操作に基づいて外部信号の出力を制御することができる。
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
役抽選を行う役抽選手段と、
予め定められた開始条件が成立すると、遊技者に有利な特定遊技期間を開始させ、所定の終了条件を満たすと、該特定遊技期間を終了させる特定遊技期間制御手段と、
演出の実行を制御する演出制御手段と、
を備え、
前記特定遊技期間中の遊技において、前記役抽選手段によって所定の抽選結果が決定されたときに、前記特定遊技期間を延長する場合と、前記特定遊技期間よりも有利な特別遊技期間を開始する場合と、があり、
前記演出制御手段は、
前記役抽選手段によって前記所定の抽選結果が決定された遊技において、前記特定遊技期間を延長する場合と、前記特定遊技期間よりも有利な特別遊技期間を開始する場合とで、共通する特定演出を実行可能であり、その後、前記特別遊技期間を開始するのか、または前記特定遊技期間を延長するのかを報知可能である
ことを特徴とするスロットマシン。
【手続補正書】
【提出日】平成26年12月9日(2014.12.9)
【手続補正１】
【補正対象書類名】明細書
【補正対象項目名】０００５
【補正方法】変更
【補正の内容】
【０００５】
しかしながら、従来の遊技機では、装飾部材を、発光手段からの光によって発光装飾させることができるものの、装飾部材の発光装飾を見慣れてしまい、遊技に対する関心が低下してしまう虞があった。
【手続補正２】
【補正対象書類名】明細書
【補正対象項目名】０００７
【補正方法】変更
【補正の内容】
【０００７】
手段１：遊技機において、
「遊技中に演出画像を表示する演出表示領域と、
遊技中に発光演出を行う光源が配置されたベース体と、
前記演出画像の表示制御を行う演出表示制御手段と、
前記光源の発光制御を行う発光制御手段と、
を備えた遊技機であって、
前記ベース体は、
第１光源が配置された第１ベース体と、
第２光源が配置された第２ベース体と、を少なくとも含み、
前記第１光源が配置された第１ベース体は、前記演出表示領域の一部と重なる透明板の背面に配置され、前記演出表示領域を視認可能とされるように透過性の部材で構成されており、
前記第２光源が配置された第２ベース体は、前記演出表示領域と重ならない待機位置から前記演出表示領域の一部と重なる出現位置に移動可能な可動体に配置され、
前記発光制御手段は、前記第２光源が配置された第２ベース体が前記出現位置に位置した状態で前記第２光源の発光制御を行う特定発光制御手段と、を備え、
前記演出表示制御手段は、前記特定発光制御手段によって前記第２光源の発光制御が行われる場合に、前記第２光源の発光タイミングと合せて特定演出画像を表示する表示制御を行うことで一体的な演出を実行可能とした」ものであることを特徴とする。
【手続補正３】
【補正対象書類名】特許請求の範囲
【補正対象項目名】全文
【補正方法】変更
【補正の内容】
【特許請求の範囲】
【請求項１】
遊技中に演出画像を表示する演出表示領域と、
遊技中に発光演出を行う光源が配置されたベース体と、
前記演出画像の表示制御を行う演出表示制御手段と、
前記光源の発光制御を行う発光制御手段と、
を備えた遊技機であって、
前記ベース体は、
第１光源が配置された第１ベース体と、
第２光源が配置された第２ベース体と、を少なくとも含み、
前記第１光源が配置された第１ベース体は、前記演出表示領域の一部と重なる透明板の背面に配置され、前記演出表示領域を視認可能とされるように透過性の部材で構成されており、
前記第２光源が配置された第２ベース体は、前記演出表示領域と重ならない待機位置から前記演出表示領域の一部と重なる出現位置に移動可能な可動体に配置され、
前記発光制御手段は、前記第２光源が配置された第２ベース体が前記出現位置に位置した状態で前記第２光源の発光制御を行う特定発光制御手段と、を備え、
前記演出表示制御手段は、前記特定発光制御手段によって前記第２光源の発光制御が行われる場合に、前記第２光源の発光タイミングと合せて特定演出画像を表示する表示制御を行うことで一体的な演出を実行可能とした
ことを特徴とする遊技機。
【請求項２】
前記第１光源は、複数個のＬＥＤにより構成されることを特徴とする請求項１に記載の遊技機。
【請求項３】
前記可動体は、前記第２光源からの光を拡散するレンズ部材を備えることを特徴とする請求項１又は２に記載の遊技機。
【手続補正書】
【提出日】平成26年12月9日(2014.12.9)
【手続補正１】
【補正対象書類名】明細書
【補正対象項目名】０００５
【補正方法】変更
【補正の内容】
【０００５】
しかしながら、従来の遊技機では、装飾部材を、発光手段からの光によって発光装飾させることができるものの、装飾部材の発光装飾を見慣れてしまい、遊技に対する関心が低下してしまう虞があった。
【手続補正２】
【補正対象書類名】明細書
【補正対象項目名】０００７
【補正方法】変更
【補正の内容】
【０００７】
手段１：遊技機において、
「遊技中に所定の演出画像を表示する演出表示領域と、
遊技中に所定の発光演出を行う光源が配置されたベース体と、
を備えた遊技機であって、
前記ベース体は、
第１光源が配置された第１ベース体と、
第２光源が配置された第２ベース体と、を少なくとも含み、
前記第１光源が配置された第１ベース体は、前記演出表示領域の一部と重なる透明板の背面に配置され、前記演出表示領域を視認可能とされるように透過性の部材で構成されており、
前記第２光源が配置された第２ベース体は、前記演出表示領域と重ならない待機位置から前記演出表示領域の一部と重なる出現位置に移動可能な可動体に配置される」ものであることを特徴とする。
【手続補正３】
【補正対象書類名】特許請求の範囲
【補正対象項目名】全文
【補正方法】変更
【補正の内容】
【特許請求の範囲】
【請求項１】
遊技中に所定の演出画像を表示する演出表示領域と、
遊技中に所定の発光演出を行う光源が配置されたベース体と、
を備えた遊技機であって、
前記ベース体は、
第１光源が配置された第１ベース体と、
第２光源が配置された第２ベース体と、を少なくとも含み、
前記第１光源が配置された第１ベース体は、前記演出表示領域の一部と重なる透明板の背面に配置され、前記演出表示領域を視認可能とされるように透過性の部材で構成されており、
前記第２光源が配置された第２ベース体は、前記演出表示領域と重ならない待機位置から前記演出表示領域の一部と重なる出現位置に移動可能な可動体に配置される
ことを特徴とする遊技機。
【請求項２】
前記第１光源は、複数個のＬＥＤにより構成されることを特徴とする請求項１に記載の遊技機。
【請求項３】
前記可動体は、前記第２光源からの光を拡散するレンズ部材を備えることを特徴とする請求項１又は２に記載の遊技機。
【手続補正書】
【提出日】平成26年11月21日(2014.11.21)
【手続補正１】
【補正対象書類名】明細書
【補正対象項目名】０００７
【補正方法】変更
【補正の内容】
【０００７】
手段１：遊技機において、
「遊技者の操作によって遊技媒体が打ち込まれる遊技領域と、
前記遊技領域が形成される遊技パネルと、
前記遊技パネルの後側に配置され、発光部を備える装飾体と、
前記遊技パネルの後側に配置され、表示領域において表示される所定の演出画像を、前記遊技パネルの開口部を通して視認可能とする演出表示手段と、
前記装飾体を、遊技状況に応じて移動させる移動手段と、
を備える遊技機であって、
前記移動手段は、前記装飾体が前記遊技パネルと重なる位置となる待機位置と、前記装飾体が前記遊技パネルの開口部と重なる位置となる作動位置とに前記装飾体を移動させ、
前記装飾体は、前記待機位置において視認可能とされ、
前記装飾体が前記待機位置にあるときに、前記発光部を発光させる発光手段と、
前記移動手段によって前記作動位置に移動した前記装飾体を、前記移動手段により移動された方向とは異なる方向に動作させる動作手段と、
を備え、
前記移動手段に動力を与える駆動源は、前記装飾体の位置に拘らず視認不能に配設されている」ものであることを特徴とする。
【手続補正２】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域が形成される遊技パネルと、
前記遊技パネルの後側に配置され、発光部を備える装飾体と、
前記遊技パネルの後側に配置され、表示領域において表示される所定の演出画像を、前記遊技パネルの開口部を通して視認可能とする演出表示手段と、
前記装飾体を、遊技状況に応じて移動させる移動手段と、
を備える遊技機であって、
前記移動手段は、前記装飾体が前記遊技パネルと重なる位置となる待機位置と、前記装飾体が前記遊技パネルの開口部と重なる位置となる作動位置とに前記装飾体を移動させ、
前記装飾体は、前記待機位置において視認可能とされ、
前記装飾体が前記待機位置にあるときに、前記発光部を発光させる発光手段と、
前記移動手段によって前記作動位置に移動した前記装飾体を、前記移動手段により移動された方向とは異なる方向に動作させる動作手段と、
を備え、
前記移動手段に動力を与える駆動源は、前記装飾体の位置に拘らず視認不能に配設されている
ことを特徴とする遊技機。